(57)【特許請求の範囲】
【請求項１】
押圧バックカバーと、バック体と、本体と、前スリーブと、複数の爪と、前記爪と同じ数量の従動傘歯車とを有し、
前記バック体は、前記本体内に配置され、
前記バック体の一端に駆動傘歯車が配置され、
前記駆動傘歯車は、その大端部が前記バック体に接近する端に設けられ、
前記バック体の他端に外部設備と接続するための接続部が設けられ、
前記駆動傘歯車は、前記本体内に配置され、前記従動傘歯車と噛合し、
複数の前記従動傘歯車は、前記駆動傘歯車の軸線を中心線として均一に配置され、
前記従動傘歯車の内孔に雌ねじが設けられ、
前記爪の一端には、前記従動傘歯車の前記雌ねじと螺合する雄ねじが設けられ、かつ、前記爪の他端に、なす角が１２０°となる２つの挟持面が設けられ、さらに、前記爪に位置決め溝が設けられ、
前記本体には、前記爪が貫通可能な爪孔と前記従動傘歯車を配置するための傘歯車孔とが設けられ、
前記本体は、その一端が前記前スリーブ内に固定設置され、その他端に前記バック体と回転可能に接続するためのバック孔が設けられ、
前記押圧バックカバーは、前記バック体を前記バック孔内に保持するように、前記本体の他端に配置され、
前記押圧バックカバーと、前記バック体と、前記駆動傘歯車と、前記本体と、前記前スリーブとが同軸に配置され、
前記雌ねじと前記雄ねじは、２条又は３条のねじであり、
前記２条又は３条のねじのリード角αは、４．７°≦α≦１８．７°となり、
前記位置決め溝は、前記本体に設けられる位置決め部と合わせて前記爪の回転を阻止することができるように、その長手方向を前記爪の軸線と平行に設けられ、
前記本体の前記バック体に接近する端に、後スリーブが回転可能に設けられ、
前記バック体の前記駆動傘歯車から離間する端に駆動部が配置され、
前記駆動部は、前記後スリーブと固定接続し、ドリルチャックの作業前及び作業後に、後スリーブで、先端工具を挟持又は開放できるように、ドリルチャックを回転駆動し、
前記バック体と前記後スリーブとが前記駆動部を介して接続され、前記後スリーブにより、前記駆動部を介して前記バック体を手動で駆動し、そして前記バック体と前記本体とを相対に回転させ、さらに前記駆動傘歯車と前記従動傘歯車を介して、前記爪に対して開閉に必要な力を付与する
ことを特徴とする歯車自己締付ドリルチャック。
【請求項２】
前記位置決め部は、位置決めねじであり、
前記位置決めねじは、取外し可能に前記本体に設けられる
ことを特徴とする請求項１に記載の歯車自己締付ドリルチャック。
【請求項３】
前記後スリーブに前記駆動部と緊密に接続する駆動孔が設けられることを特徴とする請求項１に記載の歯車自己締付ドリルチャック。
【請求項４】
前記接続部は、雌ねじを備えるストレート孔又はテーパ孔であることを特徴とする請求項１に記載の歯車自己締付ドリルチャック。
【請求項５】
前記後スリーブと前記バック体とはサークリップを介して接続されることを特徴とする請求項１〜４のいずれか１項に記載の歯車自己締付ドリルチャック。
【請求項６】
押圧バックカバー又はストッパーリングと、バック体と、本体と、複数の爪と、前記爪と同じ数量の従動傘歯車とを有し、
前記バック体は、前記本体内に配置され、
前記バック体の一端に駆動傘歯車が配置され、
前記駆動傘歯車は、その大端部が、本体の奥側に入る前記バック体の端に設けられ、
前記バック体の他端に外部設備と接続するための接続部が設けられ、
前記駆動傘歯車は、前記本体内に配置され、前記従動傘歯車と噛合し、
複数の前記従動傘歯車は、前記駆動傘歯車の軸線を中心線として均一に配置され、
前記従動傘歯車の内孔に雌ねじが設けられ、
前記爪の一端には、前記従動傘歯車の前記雌ねじと螺合する雄ねじが設けられ、かつ、前記爪の他端に、なす角が１２０°となる２つの挟持面が設けられ、さらに、前記爪に位置決め溝が設けられ、
前記本体には、前記爪が貫通可能な爪孔と前記従動傘歯車を配置するための傘歯車孔とが設けられ、
前記本体は、その一端に先端工具収容孔が設けられ、その他端に前記バック体と回転可能に接続するためのバック孔が設けられ、
前記押圧バックカバー又は前記ストッパーリングは、前記バック体を前記バック孔内に保持するように、前記本体の他端に配置され、
前記押圧バックカバー又は前記ストッパーリングと、前記バック体と、前記駆動傘歯車と、前記本体とが同軸に配置され、
前記雌ねじと前記雄ねじは、２条又は３条のねじであり、
前記２条又は３条のねじのリード角αは、４．７°≦α≦１８．７°となり、
前記位置決め溝は、前記本体に設けられる位置決め部と合わせて前記爪の回転を阻止することができるように、その長手方向を前記爪の軸線と平行に設けられ、
前記本体の前記バック体に接近する端に、後スリーブが回転可能に設けられ、
前記バック体の前記駆動傘歯車から離間する端に駆動部が配置され、
前記駆動部は、前記後スリーブと固定接続し、ドリルチャックの作業前及び作業後に、後スリーブで、先端工具を挟持又は開放できるように、ドリルチャックを回転駆動し、
前記バック体と前記後スリーブとが前記駆動部を介して接続され、前記後スリーブにより、前記駆動部を介して前記バック体を手動で駆動し、そして前記バック体と前記本体とを相対に回転させ、さらに前記駆動傘歯車と前記従動傘歯車を介して、前記爪に対して開閉に必要な力を付与する
ことを特徴とする歯車自己締付ドリルチャック。
【請求項７】
前記位置決め部は位置決めねじであり、
前記位置決めねじは取外し可能に前記本体に設けられる
ことを特徴とする請求項６に記載の歯車自己締付ドリルチャック。
【請求項８】
前記後スリーブに前記駆動部と緊密に接続する駆動孔が設けられることを特徴とする請求項６に記載の歯車自己締付ドリルチャック。
【請求項９】
前記接続部は、雌ねじを備えるストレート孔又はテーパ孔であることを特徴とする請求項６に記載の歯車自己締付ドリルチャック。
【請求項１０】
前記後スリーブと前記バック体とはサークリップを介して固定接続されることを特徴とする請求項６〜９のいずれか１項に記載の歯車自己締付ドリルチャック。
【発明の詳細な説明】
【技術分野】
【０００１】
本出願は、出願日が２０１６年６月３日であり、出願番号が２０１６１０３９５４５０４であり、名称が「歯車自己締付ドリルチャック」である中国特許出願に基づいて優先権を主張し、その全ての内容は、参照により本明細書に組み込まれる。
【０００２】
本発明は、機械加工用工具分野及び電動工具分野に属し、殊に、歯車自己締付ドリルチャックに関する。
【背景技術】
【０００３】
ドリルチャックは、機械加工分野及び電動工具分野でよく使われている先端工具を締め付ける工具である。
【０００４】
ドリルチャックは、チャックスリーブと、回転リングと、接続ブロックと、バックカバーとにより構成されることが一般である。チャックスリーブにおいて、軸方向の位置決めは、接続ブロックにより実現され、円周方向の回転用挿入孔を用いて、回転リングの雌ねじの作用で接続ブロックを軸方向に移動させ、自動的に中心を精確に決めるとともに先端工具を締め付ける。作業時、異なる先端工具(例えば、センタードリル、ドリルビット、リーマ、タップ等)が装着されたドリルチャックを用いる必要があるとき、位置決めねじを緩み、規定の位置まで扇形部材を回動させた後、位置決めねじを締めることによって、ドリルチャックの複数作業位置の移動が実現できる。
【０００５】
現在、市販のドリルチャックは、挟持力の大きい順に、手締め式ドリルチャックと、チャックキー締め式ドリルチャックと、自己締付ドリルチャックとの３種がある。３種のドリルチャックのそれぞれは、メリットとデメリットがある。手締め式ドリルチャックは、コストが低く、操作が簡単で、軽量で、幅広く適用できるが、挟持力が小さく、精度が低い。チャックキー締め式ドリルチャックは、コストが低く、幅広く適用できるが、操作が不便である。自己締付ドリルチャックは、挟持力が大きく、精度が高いが、コストが高く、比較的に重く、操作が不便である。
【０００６】
時代の変化に伴って、自己締付ドリルチャックの精度が高いので、その応用がますます広くなっている。
【０００７】
現在、市販の自己締付ドリルチャックは、主に爪自己締付ドリルチャックと、歯車自己締付ドリルチャックと、雌ねじ自己締付ドリルチャックと、雄ねじ自己締付ドリルチャックとの４つの構成のものがある。
【０００８】
この４つの構成のドリルチャックは、いずれも１条ねじにより動力を爪に伝達することによって、本体(フロント部材)の爪孔における爪の進退移動を実現し、さらに先端工具の挟持又は開放を実現するようになる。
【０００９】
しかしながら、依然として上記の欠陥を解決できなかった。そして、挟持力が大きいため、動力を伝動するためのねじ山の間において、過大な押付力及び摩擦力が生じ、引いていは動けなくなることがよくある。この場合、専用工具で自己締付ドリルチャックを緩めなければならず、操作が不便である。さらに、専用工具がなくしやすいので、当該ドリルチャックが緩められなく廃棄され、無駄になることもある。
【００１０】
ねじで動力を伝動する自己締付ドリルチャックを、作業に必要な適当な挟持力を有しながら、操作が簡単で、手動で簡単に緩めることを実現できる自己締付ドリルチャックを提供するは、解決すべく技術的難題となっている。
【発明の概要】
【発明が解決しようとする課題】
【００１１】
本発明は、従来技術における技術問題を解決できる歯車自己締付ドリルチャックを提供することを目的としている。
【課題を解決するための手段】
【００１２】
本発明による歯車自己締付ドリルチャックは、押圧バックカバーと、バック体と、本体と、前スリーブと、複数の爪と、前記爪と同じ数量の従動傘歯車とを有し、
前記バック体は、前記本体内に配置され、
前記バック体の一端に駆動傘歯車が配置され、
前記駆動傘歯車は、その大端部が前記バック体に接近する端に設けられ、
前記バック体の他端に外部設備と接続するための接続部が設けられ、
前記駆動傘歯車は、前記本体内に配置され、前記従動傘歯車と噛合し、
複数の前記従動傘歯車は、前記駆動傘歯車の軸線を中心線として均一に配置され、
前記従動傘歯車の内孔に雌ねじが設けられ、
前記爪の一端には、前記従動傘歯車の前記雌ねじと螺合する雄ねじが設けられ、
前記本体には、前記爪が貫通可能の爪孔と前記従動傘歯車を配置するための傘歯車孔とが設けられ、
前記本体は、その一端が前記前スリーブ内に固定設置され、その他端に前記バック体と回転可能に接続するためのバック孔が設けられ、
前記押圧バックカバーは、前記バック体を前記バック孔内に保持するように、前記本体の他端に配置され、
前記押圧バックカバーと、前記バック体と、前記駆動傘歯車と、前記本体と、前記前スリーブとが同軸に配置され、
前記雌ねじと前記雄ねじは、多条ねじである。
【００１３】
さらに、前記爪の他端に、なす角が１２０°となる２つの挟持面が設けられる。
さらに、前記多条ねじのリード角αは、３．１°≦α≦１８．７°となる。
【００１４】
さらに、前記爪に位置決め溝が設けられ、前記位置決め溝は、前記本体に設けられる位置決め部と合わせて前記爪の回転を阻止することができるように、その長手方向を前記爪の軸線と平行に設けられている。
【００１５】
さらに、前記位置決め部は、位置決めねじであり、前記位置決めねじは、取外し可能に前記本体に設けられる。
【００１６】
さらに、前記本体の前記バック体に接近する端に、後スリーブが回転可能に設けられる。
【００１７】
さらに、前記バック体の前記駆動傘歯車から離間する端に駆動部が配置され、前記駆動部は、前記後スリーブと固定接続し、ドリルチャックの作業前及び作業後に、後スリーブで、先端工具を挟持又は開放できるように、ドリルチャックを回転駆動する。
【００１８】
さらに、前記後スリーブに前記駆動部と緊密に接続する駆動孔が設けられる。
さらに、前記接続部は、雌ねじを備えるストレート孔又はテーパ孔である。
【００１９】
さらに、前記後スリーブと前記バック体とはサークリップを介して接続される。
本発明によるもう１つの歯車自己締付ドリルチャックは、押圧バックカバー又はストッパーリングと、バック体と、本体と、複数の爪と、前記爪と同じ数量の従動傘歯車とを有し、
前記バック体は、前記本体内に配置され、
前記バック体の一端に駆動傘歯車が配置され、
前記駆動傘歯車は、その大端部が、本体の奥側に入るバック体の端に設けられ、
前記バック体の他端に外部設備と接続するための接続部が設けられ、
前記駆動傘歯車は、前記本体内に配置され、前記従動傘歯車と噛合し、
複数の前記従動傘歯車は、前記駆動傘歯車の軸線を中心線として均一に配置され、
前記従動傘歯車の内孔に雌ねじが設けられ、
前記爪の一端には、前記従動傘歯車の前記雌ねじと螺合する雄ねじが設けられ、
前記本体には、前記爪が貫通可能の爪孔と前記従動傘歯車を配置するための傘歯車孔とが設けられ、
前記本体は、一端に先端工具収容孔が設けられ、その他端に前記バック体と回転可能に接続するためのバック孔が設けられ、
前記押圧バックカバー又は前記ストッパーリングは、前記バック体を前記バック孔内に保持するように、前記本体の他端に配置され、
前記押圧バックカバー又は前記ストッパーリングと、前記バック体と、前記駆動傘歯車と、前記本体とが同軸に配置され、
前記雌ねじと前記雄ねじは、多条ねじである。
【００２０】
さらに、前記爪の他端に、なす角が１２０°となる２つの挟持面が設けられる。
さらに、前記多条ねじのリード角αは、３．１°≦α≦１８．７°となる。
【００２１】
さらに、前記爪に位置決め溝が設けられ、前記位置決め溝は、前記本体に設けられる位置決め部と合わせて前記爪の回転を阻止することができるように、その長手方向を前記爪の軸線と平行に設けられている。
【００２２】
さらに、前記位置決め部は位置決めねじであり、前記位置決めねじは取外し可能に前記本体に設けられる。
【００２３】
さらに、前記本体の前記バック体に接近する端に、後スリーブが回転可能に設けられる。
【００２４】
さらに、前記バック体の前記駆動傘歯車から離間する端に駆動部が配置され、前記駆動部は、前記後スリーブと固定接続し、ドリルチャックの作業前及び作業後に、後スリーブで、先端工具を挟持又は開放できるように、ドリルチャックを回転駆動する。
【００２５】
さらに、前記後スリーブに前記駆動部と緊密に接続する駆動孔が設けられる。
さらに、前記接続部は、雌ねじを備えるストレート孔又はテーパ孔である。
【００２６】
さらに、前記後スリーブと前記バック体とはサークリップを介して接続される。
本発明による歯車自己締付ドリルチャックは、バック体の回転により駆動傘歯車を駆動し、そして従動傘歯車を回転駆動して、爪を移動させることによって、爪の開閉が実現される。また、爪と従動傘歯車とは多条ねじを介して接続され、容易に締め付けた状態から緩めることができるので、手動でドリルチャックの爪を楽に開ける目的を果たすことができ、操作が簡単且つ便利になる。
【００２７】
以下、本発明の具体的な実施形態又は従来技術における技術案をより明瞭に説明するため、具体的な実施形態又は従来技術に必要となる図面を簡単に説明する。下記説明される図面は、本発明の実施形態の一部を示し、当業者が発明能力を用いなくても、これらの図面に基づいてその他の図面を得ることが可能である。
【図面の簡単な説明】
【００２８】
【図１】本発明による歯車自己締付ドリルチャックの分解図である。
【図２】本発明による歯車自己締付ドリルチャックの背面図である。
【図３】図２に示した歯車自己締付ドリルチャックのＣ−Ｃ線に沿う断面図である。
【図４】本発明による歯車自己締付ドリルチャックの本体の正面図である。
【図５】図４に示した歯車自己締付ドリルチャックのＤ−Ｄ線に沿う断面図である。
【図６】本発明による歯車自己締付ドリルチャックの本体の斜視図である。
【図７】本発明による歯車自己締付ドリルチャックの斜視図である。
【図８】本発明による歯車自己締付ドリルチャックの異なるねじ条数及び異なるリード角によるトルクの曲線図である。
【図９】本発明によるもう１つの歯車自己締付ドリルチャックの分解図である。
【図１０】図９に示した歯車自己締付ドリルチャックの断面図である。
【発明を実施するための形態】
【００２９】
以下、図面を参照しながら本発明の技術案を明瞭且つ完全に説明する。説明される実施例は、本発明の実施例の一部に過ぎず、全部の実施例ではないことが無論である。本発明中の実施例をもとに、当業者は、発明能力を用いなくて獲得したすべてのその他の実施例も、本発明の保護範囲に属す。
【００３０】
また、本発明の説明において、「中心」、「上」、「下」、「左」、「右」、「垂直」、「水平」、「内」、「外」等の用語で表された方向又は位置関係は、図面に基づくものであり、本発明を便宜及び簡略に説明するためのものに過ぎず、該当装置又は素子が、必ず定められた方向を有したり、定められた方向に構成されたり、操作されたり、することを明示又は暗示するものではないため、本発明を限定するものではない。
【００３１】
また、「第１」、「第２」、「第３」などの用語は、説明に用いられるものであり、相対の重要性を明示または暗示するものではないと理解すべきである。
【００３２】
また、本発明の説明において、明確な定義と限定がない限り、「取付」、「接続」、「接続」などの用語は、広義的に理解すべきである。例えば、固定接続でもよいし、取外し可能な接続でもよいし、一体的な接続でもよい。そして、機械的な接続でもよいし、電気的な接続でもよい。また、直接に接続してもよいし、中間物を介して間接に接続してもよいし、２つの素子の内部が連通してもよい。当業者は、本出願における上記用語の具体的な意味を、具体的な状況に応じて理解することが可能である。
【００３３】
（第１局面）
図１−７に示すように、本発明による歯車自己締付ドリルチャックは、押圧バックカバー１０と、バック体９と、本体３と、前スリーブ１と、複数の爪７と、前記爪７と同じ数量の従動傘歯車２とを有する。
【００３４】
前記バック体９は、前記本体３内に配置される。
前記バック体９の一端に駆動傘歯車８が配置される。
【００３５】
前記駆動傘歯車８は、その大端部が前記バック体９に接近する端に設けられている。
前記バック体９の他端に外部設備と接続するための接続部が設けられている。
【００３６】
前記駆動傘歯車８は、前記本体３内に配置され、前記従動傘歯車２と噛合する。
複数の前記従動傘歯車２は、前記駆動傘歯車８の軸線を中心線として均一に配置される。
【００３７】
前記従動傘歯車２の内孔に雌ねじが設けられている。
前記爪７の一端には、前記従動傘歯車２の前記雌ねじと螺合する雄ねじが設けられている。
【００３８】
前記本体３には、前記爪７が貫通可能な爪孔４と前記従動傘歯車２を配置するための傘歯車孔１８とが設けられている。
【００３９】
前記本体３は、その一端が前記前スリーブ１内に固定設置され、その他端に前記バック体９と回転可能に接続するためのバック孔５が設けられている。
【００４０】
前記押圧バックカバー１０は、前記バック体９を前記バック孔５内に保持するように、前記本体３の他端に配置されている。
【００４１】
前記押圧バックカバー１０と、前記バック体９と、前記駆動傘歯車８と、前記本体３と、前記前スリーブ１とが同軸に配置される。
【００４２】
前記雌ねじと前記雄ねじは、多条ねじである。
本発明は、動力を、直接又は間接にねじを介して、直接又は間接に爪７に伝達して、爪の進退移動を駆動するすべての自己締付ドリルチャックに適用できる。
【００４３】
本発明における多条ねじのリード角は、ねじの有効径に基づくものである。
１条ねじは自己ロックに寄与するが、緩みに不利である。多条ねじは、動力伝動に寄与し、さらに締付に寄与するとともに緩みにも寄与している。そして、ねじ山間の接触面積を増やしたため、１条ねじと同等の挟持力をより大きい接触面積に分散させたので、ねじの単位面積あたりの接触圧又は摩擦力が１条ねじの場合よりかなり小さくなって、楽にドリルチャックを開けることに寄与している。このため、本発明において、多条ねじが、従動傘歯車２と爪７との間の伝動ねじとして使用された。
【００４４】
駆動傘歯車８とバック体９とがともに本体３のバック孔５に配置され、従動傘歯車２が本体３の傘歯車孔１８に配置されるとともに駆動傘歯車８と噛合するように構成される。また、バック体９は、本体３のバック孔５に配置されるとともに本体３と回転可能に接続されている。本体３内におけるバック体９の安定性を保ち、回転過程においてバック孔５から飛び出すことを避けるため、バック体９の本体３から離間する端に押圧バックカバー１０が配置される。押圧バックカバー１０がボルトで本体３と固定接続されてバック体９がバック孔５内に保持されることによって、バック体９が回転可能且つ軸方向に移動不可能のようになった。このように、バック体９の作業時の安定性を保障できる。
【００４５】
使用するとき、バック体９を回転させることにより、駆動傘歯車８を回転駆動し、そして駆動傘歯車８と噛合している従動傘歯車２を回転駆動し、さらに多条ねじを介して爪７を本体３の爪孔４に移動させて、爪７の開閉を実現させる。
【００４６】
出願人は、歯車自己締付ドリルチャックを１０５０Ｗのハンマードリルに適用し、径１２ｍｍのハンマードリルビットを用い、それぞれ３°、４．７°、１８°のリード角で、同径の爪７に対して、１条ねじ及び多条ねじで、コンクリート板において１万２千回以上の穿孔比較実験を行って、下表のデータを得た。
【００４７】
下記の表及びデータの座標図から、ドリルチャックを開ける際の多条ねじのメリットが分かる。
【００４８】
【表１】
0006989598.tif 000002
【００４９】
【表２】
0006989598.tif 000003
【００５０】
【表３】
0006989598.tif 000004
【００５１】
上記の表１、表２、表３及び図８から分かるように、リード角が大きければ大きいほど、ねじ条数多ければ多いほど、爪７の緩みに必要なトルクが小さく、つまり、爪７の緩みが容易になる。
【００５２】
前記爪７の他端に２つの挟持面６が設けられることが好ましい。
２つの前記挟持面６がなす角は１２０°である。
【００５３】
本実施例において、爪７は、３つが設けられ、その一端に多条ねじが設けられ、その他端に２つの挟持面６が設けられ、３つの爪７に計６つの挟持面６を有し、挟持面６の互いの協力で、物体を完全に挟持することができる。
【００５４】
また、本実施例において、爪７が３つが設けられたため、各爪７における２つの挟持面６がなす角が１２０°となるが、爪７の数が３つに限定されず、４つ、５つ等を設けてもよい。その場合、挟持面６を有するすべての爪７の端を接合する状態で掌合できるように、対応する挟持面６がなす角を９０°、７２°等に設定すればよい。
【００５５】
前記多条ねじのリード角αは、３．１°≦α≦１８．７°となることが好ましい。
複数の実験から分かるように、リード角αが３．１°より小さくなる場合、挟持力が過大になり、多条ねじであっても手動で開けることができなくなる。リード角αが１８．７°より大きくなる場合、挟持力が激減し、１条ねじであっても先端工具(ドリルビット)をしっかり締め付けることができなくなる。
【００５６】
したがって、従来の自己締付ドリルチャックに対して、先端工具をしっかり締め付けて産業上の生産要求を満たすとともに手動で楽に操作できるために、リード角αは３．１°≦α≦１８．７°となるように設定する必要がある。
【００５７】
前記爪７に位置決め溝１７が設けられることが好ましい。
前記位置決め溝１７は、前記本体３に設けられる位置決め部と合わせて前記爪７の回転を阻止することができるように、その長手方向を前記爪７の軸線と平行に設けられている。
【００５８】
爪７に位置決め溝１７を設けることによって、本体３における位置決め部と合わせて、爪７の移動方向を決めることができるとともに、爪７の移動過程における回転を阻止でき、さらに、複数の爪７が完璧に協力して作動することを保障した。
【００５９】
前記位置決め部は位置決めねじであることが好ましい。
前記位置決めねじは取外し可能に前記本体３に設けられる。
【００６０】
本実施例において、位置決め部が位置決めねじであり、つまり、本体３に位置決ねじ孔１６を設けて、位置決めねじを位置決ねじ孔１６に設けるように構成される。
【００６１】
爪７に対して位置決めを行うとき、位置決めねじを締めて、位置決めねじを位置決ねじ孔１６を通して位置決め溝１７内に入らせることによって、爪７の移動軌跡が制御されるとともに、爪７と本体３とが一体に形成される。
【００６２】
爪７に対してメンテナンス又は取外しを行う場合、位置決め溝１７から外させるように、位置決めねじを緩め、爪７を爪孔４から完全且つ容易に抜き出すようにする。
【００６３】
また、本実施例において、位置決め部として位置決めねじを使用したが、それに限定されず、その他の構成であってもよく、例えば、ピン、スライド等であってもよい。つまり、位置決め部は、位置決め溝１７と合わせて爪７の移動軌跡を決めることができ、さらに作業中の爪７の安定性を確保できるものであればよい。
【００６４】
前記本体３の前記バック体９に接近する端に、後スリーブ１１が回転可能に設けられることが好ましい。
【００６５】
本実施例において、後スリーブ１１を設けることによって、バック体９、押圧バックカバー１０及び本体３がカバーされ、そして前スリーブ１と回転可能にシール接続されることができるため、外部環境に影響されないように効果的に内部環境を保護できる。これによって、本体３とバック体９との間に入る異物を減少させて、本体３とバック体９との相対回転の安定性及び回転の耐久性を保障し、さらに歯車自己締付ドリルチャック全体の耐久性を保障できた。
【００６６】
前記バック体９の前記駆動傘歯車８から離間する端に駆動部１４が配置されることが好ましい。
【００６７】
前記駆動部１４は、前記後スリーブ１１と固定接続する。これによって、ドリルチャックの作業前及び作業後に、後スリーブ１１で、先端工具を挟持又は開放できるように、ドリルチャックを回転駆動することができる。
【００６８】
前記駆動部１４は、前記後スリーブ１１と接続し、後スリーブ１１で回転駆動されるように構成されている。
【００６９】
つまり、本実施例において、バック体９と後スリーブ１１とが駆動部１４を介して接続され、後スリーブ１１は、駆動部１４を介してバック体９を回転駆動し、さらに駆動傘歯車８、従動傘歯車２を介して、爪７に対して開閉に必要な力を付与することができる。
【００７０】
前記後スリーブ１１に前記駆動部１４と緊密に接続する駆動孔が設けられることが好ましい。
【００７１】
本実施例において、駆動部及び駆動孔は、図１に示すように、駆動部１４の円柱状の側壁において対向に２つの平面が設けられ、後スリーブ１１に相応構造の駆動孔１３が設けられ、駆動孔１３と駆動部１４との接続によって、回転力の伝動が実現される。
【００７２】
また、駆動部と駆動孔は本実施例のように構成されているが、これに限定されず、その他の構成であってもよい。例えば、四角形、楕円形等の構成の駆動部及びそれに対応する駆動孔であってもよい。つまり、駆動孔１３と駆動部１４との接続によって回転力の伝動が実現できるものであればよい。
【００７３】
前記接続部は、雌ねじを備えるストレート孔又はテーパ孔であることが好ましい。
本実施例において、バック体９は雌ねじを備えるねじ孔１６を介して設備と接続する。
【００７４】
また、本実施例において、ねじ孔１６はストレート孔又はテーパ孔であるが、その他のねじ孔であってもよい。つまり、その他の設備と接続できる構成であればよい。
【００７５】
さらに、バック体９と設備との接続方式は、多数があり、例えば、ピン接続、ヒンジ接続等であってもよい。つまり、バック体９と設備とを接続できる方式であればよい。
【００７６】
前記後スリーブ１１と前記バック体９とはサークリップ１２を介して接続されることが好ましい。
【００７７】
本実施例において、バック体９は、後スリーブ１１を通してはみ出した部分に係合溝１５が設けられ、サークリップ１２が係合溝１５内に配置されることによって、軸方向に後スリーブ１１とバック体９とが接続される。従って、後スリーブ１１とバック体９とが軸方向に相対移動できないようになる。
【００７８】
また、本実施例において、後スリーブ１１とバック体９との接続は、サークリップ１２による接続であるが、それに限定されず、その他の接続方式であってもよい。例えば、ピン接続等であってもよい。つまり、後スリーブ１１とバック体９との軸方向における相対移動を制限できる方式であればよい。
【００７９】
本発明による歯車自己締付ドリルチャックは、バック体９の回転により駆動傘歯車８を駆動し、そして従動傘歯車２を回転駆動して、爪７を移動させることによって、爪７の開閉が実現される。さらに、爪７と従動傘歯車２とは多条ねじを介して接続され、容易に締め付けた状態から緩めることができるので、手動で爪７を開ける目的を果たすことができ、操作が簡単且つ便利になる。
【００８０】
（第２局面）
図１−７及び図９−１０に示すように、本発明による歯車自己締付ドリルチャックは、押圧バックカバー１０又はストッパーリング１９と、バック体９と、本体３と、複数の爪７と、前記爪７と同じ数量の従動傘歯車２とを有する。
【００８１】
前記バック体９は、前記本体３内に配置される。
前記バック体９の一端に駆動傘歯車８が配置される。
【００８２】
前記駆動傘歯車８は、その大端部が、本体の奥側に入るバック体９の端に設けられている。
【００８３】
前記バック体９の他端に外部設備と接続するための接続部が設けられている。
前記駆動傘歯車８は、前記本体３内に配置され、前記従動傘歯車２と噛合する。
【００８４】
複数の前記従動傘歯車２は、前記駆動傘歯車８の軸線を中心線として均一に配置される。
【００８５】
前記従動傘歯車２の内孔に雌ねじが設けられている。
前記爪７の一端には、前記従動傘歯車２の前記雌ねじと螺合する雄ねじが設けられている。
【００８６】
前記本体３には、前記爪７が貫通可能な爪孔４と前記従動傘歯車２を配置するための傘歯車孔１８とが設けられている。
【００８７】
前記本体３は、その一端に先端工具収容孔が設けられ、その他端に前記バック体９と回転接続するためのバック孔５が設けられている。
【００８８】
前記押圧バックカバー１０又は前記ストッパーリング１９は、前記バック体９を前記バック孔５内に保持するように、前記本体３の他端に配置されている。
【００８９】
前記押圧バックカバー１０又は前記ストッパーリング１９と、前記バック体９と、前記駆動傘歯車８と、前記本体３とが同軸に配置される。
【００９０】
前記雌ねじと前記雄ねじは、多条ねじである。
本体の一端に先端工具収容孔２０が設けられ、先端工具収容孔の外部に前スリーブが設けられている。また、前スリーブと本体とを一体にしてもよい。本体の他端にバック孔と押圧バックカバー又はストッパーリングとが設けられる。押圧バックカバー又はストッパーリングと、バック体と、駆動傘歯車と、本体と前スリーブとが同軸に配置される。雌ねじと雄ねじは多条ねじである。本発明によって、ドリルチャックを閉じて作業を行った後、手動で楽かつ簡単にリルチャックを開けることができるので、手動で爪を開ける目的を果たすことができ、操作が簡単且つ便利になる。
【００９１】
本発明は、動力を、直接又は間接にねじを介して、直接又は間接に爪７に伝達して、爪の進退移動を駆動するすべての自己締付ドリルチャックに適用できる。
【００９２】
本発明における多条ねじのリード角は、ねじの有効径に基づくものである。
１条ねじは自己ロックに寄与するが、緩みに不利である。多条ねじは、動力伝動に寄与し、さらに締付に寄与するとともに緩みにも寄与している。そして、ねじ山間の接触面積を増やしたため、１条ねじと同等の挟持力をより大きい接触面積に分散させたので、ねじの単位面積あたりの接触圧又は摩擦力が１条ねじの場合よりかなり小さくなって、楽にドリルチャックを開けることに寄与している。このため、本発明において、多条ねじが、従動傘歯車２と爪７との間の伝動ねじとして使用された。
【００９３】
駆動傘歯車８とバック体９とがともに本体３のバック孔５に配置され、従動傘歯車２が本体３の傘歯車孔１８に配置されるとともに駆動傘歯車８と噛合するように構成される。また、バック体９は、本体３のバック孔５に配置されるとともに本体３と回転可能に接続されている。本体３内におけるバック体９の安定性を保ち、回転過程においてバック孔５から飛び出すことを避けるため、バック体９の本体３からはみ出す端に押圧バックカバー１０又はストッパーリング１９が配置される。押圧バックカバー１０がボルトで本体３と固定接続されて(又は、ストッパーリング１９と本体３におけるバック孔の内部の環状溝２１との接続で)バック体９がバック孔５内に固定されることによって、バック体９が本体３に対して回転可能且つ軸方向に移動不可能のようにした。このように、バック体９の作業時の安定性を保障できる。
【００９４】
使用するとき、バック体９を回転させることにより、駆動傘歯車８を回転駆動し、そして駆動傘歯車８と噛合している従動傘歯車２を回転駆動し、さらに多条ねじを介して爪７を本体３の爪孔４に移動させて、爪７の開閉を実現させる。
【００９５】
出願人は、歯車自己締付ドリルチャックを１０５０Ｗのハンマードリルに適用し、径１２ｍｍのハンマードリルビットを用い、それぞれ３°、４．７°、１８°のリード角で、同径の爪７に対して、１条ねじ及び多条ねじで、コンクリート板において１万２千回以上の穿孔比較実験を行って、下表のデータを得た。
【００９６】
下記の表及びデータの座標図から、ドリルチャックを開ける際の多条ねじのメリットが分かる。
【００９７】
【表４】
0006989598.tif 000005
【００９８】
【表５】
0006989598.tif 000006
【００９９】
【表６】
0006989598.tif 000007
【０１００】
上記の表１、表２、表３及び図８から分かるように、リード角が大きければ大きいほど、ねじ条数多ければ多いほど、爪７の緩みに必要なトルクが小さく、つまり、爪７の緩みが容易になる。
【０１０１】
前記爪７の他端に２つの挟持面６が設けられることが好ましい。
２つの前記挟持面６がなす角は１２０°である。
【０１０２】
本実施例において、爪７は、３つが設けられ、その一端に多条ねじが設けられ、その他端に２つの挟持面６が設けられ、３つの爪７に計６つの挟持面６を有し、挟持面６の互いの協力で、物体を完全に挟持することができる。
【０１０３】
また、本実施例において、爪７が３つが設けられたため、各爪７における２つの挟持面６がなす角が１２０°となるが、爪７の数が３つに限定されず、４つ、５つ等を設けてもよい。その場合、挟持面６を有するすべての爪７の端を接合する状態で掌合できるように、対応する挟持面６がなす角を９０°、７２°等に設定すればよい。
【０１０４】
前記多条ねじのリード角αは、３．１°≦α≦１８．７°となることが好ましい。
複数の実験から分かるように、リード角αが３．１°より小さくなる場合、挟持力が過大になり、多条ねじであっても手動で開けることができなくなる。リード角αが１８．７°より大きくなる場合、挟持力が激減し、１条ねじであっても先端工具(ドリルビット)をしっかり締め付けることができなくなる。
【０１０５】
したがって、従来の自己締付ドリルチャックに対して、先端工具をしっかり締め付けて産業上の生産要求を満たすとともに手動で楽に操作できるもために、リード角αは３．１°≦α≦１８．７°となるように設定する必要がある。
【０１０６】
前記爪７に位置決め溝１７が設けられることが好ましい。
前記位置決め溝１７は、前記本体３に設けられる位置決め部と合わせて前記爪７の回転を阻止することができるように、その長手方向を前記爪７の軸線と平行に設けられている。
【０１０７】
爪７に位置決め溝１７を設けることによって、本体３における位置決め部と合わせて、爪７の移動方向を決めることができるとともに、爪７の移動過程における回転を阻止でき、さらに、複数の爪７が完璧に協力して作動することを保障した。
【０１０８】
前記位置決め部は位置決めねじであることが好ましい。
前記位置決めねじは取外し可能に前記本体３に設けられる。
【０１０９】
本実施例において、位置決め部が位置決めねじであり、つまり、本体３に位置決ねじ孔１６を設けて、位置決めねじを位置決ねじ孔１６に設けるように構成される。
【０１１０】
爪７に対して位置決めを行うとき、位置決めねじを締めて、位置決めねじを位置決ねじ孔１６を通して位置決め溝１７内に入らせることによって、爪７の移動軌跡が制御されるとともに、爪７と本体３とが一体に形成される。
【０１１１】
爪７に対してメンテナンス又は取外しを行う場合、位置決め溝１７から外させるように、位置決めねじを緩め、爪７を爪孔４から完全且つ容易に抜き出すようにする。
【０１１２】
また、本実施例において、位置決め部として位置決めねじを使用したが、それに限定されず、その他の構成であってもよく、例えば、ピン、スライド等であってもよい。つまり、位置決め部は、位置決め溝１７と合わせて爪７の移動軌跡を決めることができ、さらに作業中の爪７の安定性を確保できるものであればよい。
【０１１３】
前記本体３の前記バック体９に接近する端に、後スリーブ１１が回転可能に設けられることが好ましい。
【０１１４】
本実施例において、後スリーブ１１を設けることによって、バック体９、押圧バックカバー１０又はストッパーリング１９及び本体３がカバーされ、そして前スリーブ１と回転可能にシール接続できるため、外部環境に影響されないように効果的に内部環境を保護できる。これによって、本体３とバック体９との間に入る異物を減少させて、本体３とバック体９との相対回転の安定性及び回転の耐久性を保障し、さらに歯車自己締付ドリルチャック全体の耐久性を保障できた。
【０１１５】
前記バック体９の前記駆動傘歯車８から離間する端に駆動部１４が配置されることが好ましい。
【０１１６】
前記駆動部１４は、前記後スリーブ１１と固定接続する。これによって、ドリルチャックの作業前及び作業後に、後スリーブ１１で、先端工具を挟持又は開放できるように、ドリルチャックを回転駆動することができる。
【０１１７】
前記駆動部１４は、前記後スリーブ１１と接続し、後スリーブ１１で回転駆動されるように構成されている。
【０１１８】
つまり、本実施例において、バック体９と後スリーブ１１とが駆動部１４を介して接続され、後スリーブ１１により、駆動部１４を介してバック体９を手動で駆動し、そしてバック体９と本体３とを相対に回転させ、さらに駆動傘歯車８、従動傘歯車２を介して、爪７に対して開閉に必要な力を付与することができる。
【０１１９】
前記後スリーブ１１に前記駆動部１４と緊密に接続する駆動孔が設けられることが好ましい。
【０１２０】
本実施例において、駆動部及び駆動孔は、図１に示すように、駆動部１４の円柱状の側壁において対向に２つの平面を設けられ、後スリーブ１１に相応構造の駆動孔１３が設けられ、駆動孔１３と駆動部１４との接続によって、回転力の伝動が実現される。
【０１２１】
また、駆動部と駆動孔は本実施例のような構成されているが、これに限定されず、その他の構成であってもよい。例えば、四角形、楕円形等の構成の駆動部及びそれに対応する駆動孔であってもよい。つまり、駆動孔１３と駆動部１４との接続によって回転力の伝動が実現できるものであればよい。
【０１２２】
前記接続部は、雌ねじを備えるストレート孔又はテーパ孔であることが好ましい。
本実施例において、バック体９は雌ねじを備えるねじ孔１６を介して設備と接続する。
【０１２３】
また、本実施例において、ねじ孔１６はストレート孔又はテーパ孔であるが、その他のねじ孔であってもよい。つまり、その他の設備と接続できる構成であればよい。
【０１２４】
さらに、バック体９と設備との接続方式は、多数があり、例えば、ピン接続、ヒンジ接続等であってもよい。つまり、バック体９と設備とを接続できる方式であればよい。
【０１２５】
前記後スリーブ１１と前記バック体９とはサークリップ１２を介して接続されることが好ましい。
【０１２６】
本実施例において、バック体９は、後スリーブ１１を通してはみ出した部分に係合溝１５が設けられ、サークリップ１２が係合溝１５内に配置されることによって、軸方向に後スリーブ１１とバック体９とが固定接続される。従って、後スリーブ１１とバック体９とが軸方向に相対移動できないようになる。
【０１２７】
また、本実施例において、後スリーブ１１とバック体９との接続は、サークリップ１２による接続であるが、これに限定されず、その他の接続方式であってもよい。例えば、ピン接続等であってもよい。つまり、後スリーブ１１とバック体９との軸方向における相対移動を制限できる方式であればよい。
【０１２８】
本発明による歯車自己締付ドリルチャックは、バック体９の回転により駆動傘歯車８を駆動し、そして従動傘歯車２を回転駆動して、爪７を移動させることによって、爪７の開閉が実現される。また、爪７と従動傘歯車２とは多条ねじを介して接続され、容易に締め付けた状態から緩めることができるので、手動で爪７を開ける目的を果たすことができ、操作が簡単且つ便利になる。
【０１２９】
上記各実施例が本発明の技術案を説明するためのものに過ぎず、それを制限するものではない。上記各実施例を用いて本発明を詳細に説明したが、当業者にとって、上記各実施例に記載された技術案を変更し、又はその内の一部或いは全部の技術的特徴に対して均等置換を行うこともできる。これらの変更又は置換は、該当技術案の本質を本発明の各実施例による技術案の範囲から逸脱させていない。
【符号の説明】
【０１３０】
１  前スリーブ、２  従動傘歯車、３  本体、４  爪孔、５  バック孔、６  挟持面、７  爪、８  駆動傘歯車、９  バック体、１０  押圧バックカバー、１１  後スリーブ、１２  サークリップ、１３  駆動孔、１４  駆動部、１５  係合溝、１６  ねじ孔、１７  位置決め溝、１８  傘歯車孔、１９  ストッパーリング、２０  先端工具収容孔、２１  環状溝。
【図１】
0006989598.tif 000008
【図２】
0006989598.tif 000009
【図３】
0006989598.tif 000010
【図４】
0006989598.tif 000011
【図５】
0006989598.tif 000012
【図６】
0006989598.tif 000013
【図７】
0006989598.tif 000014
【図８】
0006989598.tif 000015
【図９】
0006989598.tif 000016
【図１０】
0006989598.tif 000017